(57)【要約】  【課題】０点位置が先端からずれた巻尺において、子墨の形成をより効率的に行えるようにすることを課題とする。ことを課題とする。  【解決手段】  巻尺にとして、目盛が表示される巻尺テープの一の主表面において、目盛の０点の位置が巻尺テープの途中位置に設けられ、この０点の位置から基端方向に向って値が大きくなるように目盛に対応する数値が表示されるとともに、この０点の位置から先端方向に向って値が大きくなるように目盛に対応する数値が表示されるようにする。【選択図】  図２
0003117928.tif 000002
【実用新案登録請求の範囲】
【請求項１】
目盛が表示される巻尺テープの一の主表面において、目盛の０点の位置が巻尺テープの途中位置に設けられ、この０点の位置から基端方向に向って値が大きくなるように目盛に対応する数値が表示されるとともに、この０点の位置から先端方向に向って値が大きくなるように目盛に対応する数値が表示される巻尺。
【請求項２】
前記巻尺テープの他の主表面にも目盛が表示されるとともに、目盛の０点の位置が巻尺テープの先端位置に設けられ、この０点の位置から基端方向に向って値が大きくなるように目盛に対応する数値が表示される請求項１に記載の巻尺。
【考案の詳細な説明】
【技術分野】
【０００１】
本考案は、巻尺に関するものであり、特に、目盛の０点位置が先端からずれた位置に形成される巻尺に関する。
【背景技術】
【０００２】
建築現場において施工の基準となる地面に展開する地墨を形成する場合、通常は、スチール製の巻尺を使用して測定を行う。ところで、スチール製の巻尺は先端に下方に折れ曲がった金具が設けられており、この金具は、角などに引っ掛けて測定する場合、壁面などに押しつけて測定する場合には有用であるが、地面に対する測定においては邪魔になり、また、金具は引っ掛ける場合と、押しつける場合の金具の厚さ分の差を解消するために、前後に移動可能に形成されているために先端の０点を測定点に正確に合わせることができない。そこで、通常は、先端の０点を基準にするのではなく、目盛のずれた位置、例えば、１０ｃｍの位置を基準として測定を行っている。しかし、建築における墨付けは複雑で数多くの測定を行う必要があるために目盛のずれた位置を基準に測定を行うと、間違いが生じやすい。これを解決する手段として、下記特許文献１、２には、巻尺テープ先端よりずれた位置から０点が始まる巻尺が開示されている。
【特許文献１】実用新案登録第３０４９４２７号公報
【特許文献２】実用新案登録第３０７２８９９号公報
【考案の開示】
【考案が解決しようとする課題】
【０００３】
ところで、墨付けに際しては、親墨を形成した後に、壁芯位置を中心として所定幅で子墨を形成する作業がある。この場合、壁芯位置から左右等距離を子墨を形成する位置として測定する必要があるが、上記特許文献１、２に記載の考案では、目盛の０点より先端側には何も表記されていないので、このような子墨を形成する際には、やはり、途中の目盛を使用せざるを得ず、効率が悪い。
本考案は、かかる問題に鑑みて、０点位置が先端からずれた巻尺において、子墨の形成をより効率的に行えるようにすることを課題とする。
【課題を解決するための手段】
【０００４】
上記課題を解決するために、本考案は次のような構成を有する。
請求項１に記載の考案は、目盛が表示される巻尺テープの一の主表面において、目盛の０点の位置が巻尺テープの途中位置に設けられ、この０点の位置から基端方向に向って値が大きくなるように目盛に対応する数値が表示されるとともに、この０点の位置から先端方向に向って値が大きくなるように目盛に対応する数値が表示される巻尺である。
請求項２に記載の考案は、前記巻尺において、前記巻尺テープの他の主表面にも目盛が表示されるとともに、目盛の０点の位置が巻尺テープの先端位置に設けられ、この０点の位置から基端方向に向って値が大きくなるように目盛に対応する数値が表示されるものである。
【考案の効果】
【０００５】
請求項１に記載の考案は、巻尺テープの一の主表面の０点位置が先端からずれるとともに、０点から先端方向に向って目盛に対する数値が表示されているので、０点を基準に基端側に向って大きくなる目盛に対応する数値を基準に親墨の基準位置に印を付けることができるとともに、０点を基準として基端側と先端側のそれぞれの目盛に対応する数値を用いて、子墨の基準位置に印を設けることができ、作業効率を高めることができる。
請求項２に記載の考案は、巻尺テープの他の主表面には、一般的な表記による目盛に対応する数値が表示されているので、墨付け以外の作業における測定に際しては、こちら側の面を用いて測定すればよいので、墨付け用の巻尺と通常の巻尺との２つを携帯する必要をなくすことができる。
【考案を実施するための最良の形態】
【０００６】
以下、本考案の実施形態について、図を参照しながら説明する。
図１に実施形態１に係る巻尺Ｘの正面図を示す。巻尺Ｘは一般的なスチール製の巻尺とほぼ同じ構成を有する。即ち、スチール製の巻尺テープ１０をバネにより巻き取るように付勢された内蔵ドラムに巻き取って本体ケース２０内に収容し、本体ケース２０の側面に設けられる引き出し口から巻尺テープ１０を引き出すことができるように形成されている。また、巻尺テープ１０の先端には、断面L字状の金具１１が設けられている。本実施形態に係る巻尺Ｘは巻尺テープ１０は巻尺テープ１０の目盛りに対して表記される数値に特徴を有する。巻尺テープ１０には表裏に目盛りが示されている。  図２（ａ）に巻尺テープ１０の表面１０ａの先端近傍を表す拡大表面図を示し、図２（ｂ）に巻尺テープ１０の裏面１０ｂの先端近傍を表す拡大裏面図を示す。
【０００７】
図２（ａ）に示すように、巻尺テープ１０の表面１０ａには、両側縁に１ｍｍ単位で目盛が描かれている。また、１０mmごとに長い目盛が表されている。そして、先端から１０ｃｍの目盛の位置に、０点を示す「０」の表記が描かれている。この０点を基準に巻尺テープの基端側に向って、１ｃｍごとに、「１」「２」「３」・・・というように数値が大きくなるように目盛に対応する数値が描かれている。また、この０点を基準に巻尺テープの先端側に向っても、１ｃｍごとに、「１」「２」「３」・・・というように数値が大きくなるように目盛に対応する数値が描かれている。
また、図２（ｂ）に示すように、巻尺テープ１０の裏面１０ｂには、やはり、両側縁に１ｍｍ単位で目盛が描かれ、１０mmごとに長い目盛が表されている。そして、裏面１０ｂでは一般的な巻尺と同じように、先端が０点となっており、これを基準に基端側に向って数値が大きくなるように目盛に対応する数値が描かれている。
【０００８】
次に上記のような構成を有する巻尺Ｘの使用方法について説明する。この巻尺Ｘは主に地面に対して墨付けをする際に使用する。使用者は、巻尺テープ１０を伸ばして、親墨の基準位置となる箇所を巻尺テープ１０の表面１０ａの０点に合わせて、基端側の数値を参照しながら測定をして所定寸法位置に印を付ける。また、同時に、０点に合わせた位置を壁芯として、この位置から基端側の数値を参照しながら一定の寸法を測定して子墨の基準となる位置に印を付けるとともに、先端側の数値を参照しながら一定の寸法を測定して他の子墨の基準となる位置に印を付ける。その後、親墨を墨壷を用いて形成する。その後、同様に親墨を形成し、また、子墨の基準位置が２点形成された時点で子墨の形成も行っていく。このように本考案に巻尺Ｘでは、一度の測定で親墨の基準位置と、親墨が形成する直線上の子墨の基準位置を同時に測定し印を付けることができる。
また、建築施工者は墨付け作業以外にも種々の測定を行う必要があるが、この場合は、巻尺テープ１０の裏面１０ｂを用いて測定を行えばよく、２つの巻尺をもつ必要はない。なお、上記実施形態では、巻尺テープ１０の表面に墨付け用の数値表示を形成し、裏面に通常の数値表示を形成したが、これは逆であってもよい。また、金具１１を逆に取り付けることにより、表面側に金具１１の折れ曲がった先端が突出するようにしてもよい。  
【図面の簡単な説明】
【０００９】
【図１】実施形態に係る巻尺の正面図である。
【図２】（ａ）は実施形態に係る巻尺の巻尺テープ先端近傍の拡大表面図であり、（ｂ）は実施形態に係る巻尺の巻尺テープ先端近傍の拡大裏面図である。
【符号の説明】
【００１０】
Ｘ  巻尺
１０  巻尺テープ
１０ａ  表面
１０ｂ  裏面
１１    金具
【図１】
0003117928.tif 000003
【図２】
0003117928.tif 000004